(57)【要約】【課題】気密性及び断熱性を高くしつつ開閉自在であると共に、室外側に設けられるサッシの開閉も可能とできる可動壁を提供する。【解決手段】建物開口部の室内側縁部に設けられる額縁２に対し取付けられる断熱性パネル壁３０を有し、額縁２の下辺室内側面の室内側に、断熱性パネル壁３０を室内側に向かって傾倒自在とするヒンジ部４０が設けられ、ヒンジ部４０は額縁２の下辺より上方位置にも配置することができ、断熱性パネル壁３０を室内側に傾倒させた際に、額縁２に囲まれた領域の下部及び該下部より室内側の領域に断熱性パネル壁３０が干渉しないように配置できるように構成する。【選択図】図４
2013209848.tif 000002
【特許請求の範囲】
【請求項１】
建物開口部の室内側縁部に四周に渡り設けられる額縁に対し取付けられる断熱性パネル壁を有した可動壁において、
下額縁室内側面の室内側に、前記断熱性パネル壁を室内側に向かって傾倒自在とするヒンジ部が設けられ、該ヒンジ部は前記下額縁より上方位置にも配置することができ、前記断熱性パネル壁を室内側に傾倒させた際に、前記額縁に囲まれた領域の下部及び該下部より室内側の領域に前記断熱性パネル壁が干渉しないように配置できることを特徴とする可動壁。
【請求項２】
前記断熱性パネル壁の両縦辺に沿ってガイド部材が設けられ、前記ヒンジ部は前記ガイド部材に沿って上下方向に移動自在とされることを特徴とする請求項１記載の可動壁。
【請求項３】
前記断熱性パネル壁には、上端部を支持すると共に室内側から開閉方向に操作自在な第１操作体と、前記ヒンジ部を支持すると共に室内側から前記ガイド部材に沿って上下方向に移動するように操作自在な第２操作体とが設けられていることを特徴とする請求項２記載の可動壁。
【請求項４】
前記下額縁室内側面より室内側には、下部ヒンジ部が設けられて前記断熱性パネル壁の下辺を支持し、前記額縁の上辺室内側面より室内側には、上部ヒンジ部が設けられて前記断熱性パネル壁の上辺を支持し、前記断熱性パネル壁は前記下部ヒンジ部と上部ヒンジ部により上辺と下辺のいずれか一方を中心に室内側に向かって傾倒自在とされることを特徴とする請求項１記載の可動壁。
【請求項５】
前記断熱性パネル壁の両縦辺に沿って縦部材が設けられ、前記縦部材には、前記下部ヒンジ部の位置を保持して回動自在とし前記上部ヒンジ部を開閉方向に移動自在とする状態と、前記上部ヒンジ部の位置を保持して回動自在とし前記下部ヒンジ部を開閉方向に移動自在とする状態とを、室内側から切替自在なロック切替機構が設けられることを特徴とする請求項４記載の可動壁。
【請求項６】
建物開口部に、枠体内に障子が開閉自在に納められたサッシが設けられ、前記枠体の室内側縁部には額縁が設けられ、該額縁に対し請求項１〜５のいずれか１項に記載の可動壁を取付けた開口部装置において、
前記障子は該障子に設けられる錠装置により施解錠されることを特徴とする開口部装置。
【請求項７】
建物開口部に、枠体内に室内外障子が開閉自在に納められたサッシが設けられ、前記枠体の室内側縁部には額縁が設けられ、該額縁に対し請求項１〜５のいずれか１項に記載の可動壁を取付けた開口部装置において、
前記室内外障子は召合わせ部の錠装置により施解錠されることを特徴とする開口部装置。
【請求項８】
建物開口部に、枠体内に障子が開閉自在に納められたサッシが設けられ、前記枠体の室内側縁部には額縁が設けられ、該額縁に対し請求項１〜５のいずれか１項に記載の可動壁を取付けた開口部装置において、
前記障子は框体内にパネル体を納めてなり、前記框体に設けられる錠装置により前記障子の枠体に対する施解錠をなすことを特徴とする開口部装置。
【発明の詳細な説明】
【技術分野】
【０００１】
本発明は、建物開口部の室内側縁部に設けられる額縁に対し取付けられる断熱性パネル壁を有した可動壁及びそれを備える開口部装置に関し、特に断熱性パネル壁をヒンジ部により室内側に回動自在として開閉を可能とした可動壁及びそれを備える開口部装置に関する。
【背景技術】
【０００２】
建物開口部に取付けられるサッシの室内側には、四周に渡って額縁が取付けられる。サッシの断熱性や遮音性を高めるため、額縁に内窓を取付けることが広く行われている。この場合の内窓は、枠体内に障子を納めた一般的なサッシの構成を有している。このため、断熱性をある程度高くすることはできるが、障子のガラス体等を通じて熱の出入りはあるため、建物の壁面よりは断熱性に劣る。
【０００３】
建物開口部における断熱性を、建物の壁面と同等まで高くするため、サッシの室内側に断熱性パネル壁からなる壁体を設けることが提案されている。断熱性パネル壁は、断熱性の高い板状の部材からなり、額縁に囲まれた領域を断熱性パネル壁で室内側から覆ってしまうことにより、建物開口部の断熱性を建物の壁面と同等まで向上させることができる。このような壁体としては、例えば特許文献１に挙げるようなものがある。
【先行技術文献】
【特許文献】
【０００４】
【特許文献１】特開２０１０−９５９７６号公報
【発明の概要】
【発明が解決しようとする課題】
【０００５】
壁体としては、額縁の四周に渡りレール部材を設け、その内部に断熱性パネル壁を引き違い状に納め、開閉自在となるようにしたものも知られている。しかし、この場合には額縁の四周に渡るレール部材が必要となると共に、気密性が低下するため、断熱性能もあまり高くできなかった。そこで、特許文献１に示されているように、断熱性パネル壁を建物開口部に対して開閉不能に固定すると共に、気密封止部を設けることで、気密性及び断熱性を高くすることができる。
【０００６】
しかし、従来の壁体では、気密性及び断熱性を高くできるのと引き替えに、開閉ができなくなっていたので、採光や換気を行うことができなかった。これを解決するため、断熱性パネル壁を内倒し状に支持することにより、採光や換気を可能とした可動壁とすることも考えられるが、断熱性パネル壁の下辺を中心に室内側に倒れるようにした場合、断熱性パネル壁自身が邪魔になって、建物開口部のサッシに手が届かないため、採光はできても換気を行うことが困難であった。
【０００７】
本発明は前記課題を鑑みてなされたものであり、気密性及び断熱性を高くしつつ開閉自在であると共に、室外側に設けられるサッシの開閉も可能とできる可動壁及びそれを備える開口部装置を提供することを目的とする。
【課題を解決するための手段】
【０００８】
前記課題を解決するため、本発明に係る可動壁は、建物開口部の室内側縁部に四周に渡り設けられる額縁に対し取付けられる断熱性パネル壁を有した可動壁において、
下額縁室内側面の室内側に、前記断熱性パネル壁を室内側に向かって傾倒自在とするヒンジ部が設けられ、該ヒンジ部は前記下額縁より上方位置にも配置することができ、前記断熱性パネル壁を室内側に傾倒させた際に、前記額縁に囲まれた領域の下部及び該下部より室内側の領域に前記断熱性パネル壁が干渉しないように配置できることを特徴として構成されている。
【０００９】
また、本発明に係る可動壁は、前記断熱性パネル壁の両縦辺に沿ってガイド部材が設けられ、前記ヒンジ部は前記ガイド部材に沿って上下方向に移動自在とされることを特徴として構成されている。
【００１０】
さらに、本発明に係る可動壁は、前記断熱性パネル壁には、上端部を支持すると共に室内側から開閉方向に操作自在な第１操作体と、前記ヒンジ部を支持すると共に室内側から前記ガイド部材に沿って上下方向に移動するように操作自在な第２操作体とが設けられていることを特徴として構成されている。
【００１１】
さらにまた、本発明に係る可動壁は、前記下額縁室内側面より室内側には、下部ヒンジ部が設けられて前記断熱性パネル壁の下辺を支持し、前記額縁の上辺室内側面より室内側には、上部ヒンジ部が設けられて前記断熱性パネル壁の上辺を支持し、前記断熱性パネル壁は前記下部ヒンジ部と上部ヒンジ部により上辺と下辺のいずれか一方を中心に室内側に向かって傾倒自在とされることを特徴として構成されている。
【００１２】
そして、本発明に係る可動壁は、前記ガイド部材には、前記下部ヒンジ部の位置を保持して回動自在とし前記上部ヒンジ部を開閉方向に移動自在とする状態と、前記上部ヒンジ部の位置を保持して回動自在とし前記下部ヒンジ部を開閉方向に移動自在とする状態とを、室内側から切替自在なロック切替機構が設けられることを特徴として構成されている。
【００１３】
また、本発明に係る開口部装置は、建物開口部に、枠体内に障子が開閉自在に納められたサッシが設けられ、前記枠体の室内側縁部には額縁が設けられ、該額縁に対し請求項１〜５のいずれか１項に記載の可動壁を取付けた開口部装置において、
前記障子は該障子に設けられる錠装置により施解錠されることを特徴として構成されている。
【００１４】
さらに、本発明に係る開口部装置は、建物開口部に、枠体内に室内外障子が開閉自在に納められたサッシが設けられ、前記枠体の室内側縁部には額縁が設けられ、該額縁に対し前記いずれかの可動壁を取付けた開口部装置において、
前記室内外障子は召合わせ部の錠装置により施解錠されることを特徴として構成されている。
【００１５】
さらにまた、本発明に係る開口部装置は、建物開口部に、枠体内に障子が開閉自在に納められたサッシが設けられ、前記枠体の室内側縁部には額縁が設けられ、該額縁に対し前記いずれかの可動壁を取付けた開口部装置において、
前記障子は框体内にパネル体を納めてなり、前記框体に設けられる開閉ハンドルにより前記障子の枠体に対する施解錠をなすことを特徴として構成されている。
【発明の効果】
【００１６】
本発明に係る可動壁によれば、内倒し方式であるため、開閉が可能で気密性及び断熱性を高くすることができ、かつ、ヒンジ部を下額縁より上方位置に配置できるので、断熱性パネル壁に邪魔されることなく、額縁により形成される開口のうち下部からサッシの開閉を行うことを可能とすることができる。
【００１７】
また、本発明に係る可動壁によれば、断熱性パネル壁の両縦辺に沿ってガイド部材が設けられ、ヒンジ部はガイド部材に沿って上下方向に移動自在とされることにより、ガイド部材によってヒンジ部を下額縁より上方位置に移動させるという手段により、容易に額縁に囲まれた領域の下部及び該下部より室内側の領域に断熱性パネル壁が干渉しないように配置可能な構成とすることができる。
【００１８】
さらに、本発明に係る可動壁によれば、断熱性パネル壁には、上端部を支持すると共に室内側から開閉方向に操作自在な第１操作体と、ヒンジ部を支持すると共に室内側からガイド部材に沿って上下方向に移動するように操作自在な第２操作体とが設けられていることにより、室内側からの操作で、容易に断熱性パネル壁の開閉及びヒンジ部の移動を行うことができる。
【００１９】
さらにまた、本発明に係る可動壁によれば、下額縁室内側面より室内側には、下部ヒンジ部が設けられて断熱性パネル壁の下辺を支持し、額縁の上辺室内側面より室内側には、上部ヒンジ部が設けられて断熱性パネル壁の上辺を支持し、断熱性パネル壁は下部ヒンジ部と上部ヒンジ部により上辺と下辺のいずれか一方を中心に室内側に向かって傾倒自在とされることにより、上下ヒンジ部のいずれかを回動させるという手段により、容易に額縁に囲まれた領域の下部及び該下部より室内側の領域に断熱性パネル壁が干渉しないように配置可能な構成とすることができる。
【００２０】
そして、本発明に係る可動壁によれば、ガイド部材には、下部ヒンジ部の位置を保持して回動自在とし上部ヒンジ部を開閉方向に移動自在とする状態と、上部ヒンジ部の位置を保持して回動自在とし下部ヒンジ部を開閉方向に移動自在とする状態とを、室内側から切替自在なロック切替機構が設けられることにより、上下ヒンジ部のいずれか一方のみを回動させて、断熱性パネル壁の上下いずれも開閉させる機能を簡易な構成で実現することができる。
【図面の簡単な説明】
【００２１】
【図１】第１の実施形態の可動壁を含む建物開口部の縦断面図である。
【図２】第１の実施形態の可動壁を含む建物開口部の横断面図である。
【図３】断熱性パネル壁を内倒し状に開いた際の可動壁を含む建物開口部の縦断面図である。
【図４】室内側に開いた断熱性パネル壁を上方に持ち上げた際の可動壁を含む建物開口部の縦断面図である。
【図５】第２の実施形態の可動壁を含む建物開口部の縦断面図である。
【図６】第２の実施形態の可動壁を含む建物開口部の横断面図である。
【図７】上ヒンジ部を中心に断熱性パネル壁を室内側に傾倒させた状態の可動壁を含む建物開口部の縦断面図である。
【図８】下ヒンジ部を中心に断熱性パネル壁を室内側に傾倒させた状態の可動壁を含む建物開口部の縦断面図である。
【図９】サッシを開き窓とした場合の建物開口部の縦断面図である。
【図１０】サッシを開き窓とした場合の建物開口部の横断面図である。
【発明を実施するための形態】
【００２２】
本発明の実施形態について図面に沿って詳細に説明する。図１には第１の実施形態の可動壁を含む建物開口部の縦断面図を、図２には第１の実施形態の可動壁を含む建物開口部の横断面図を、それぞれ示している。建物開口部には、室外側に面する部分にサッシ１が設けられており、その室内側縁部には四周に渡って額縁２が設けられている。そして、額縁２の室内端部に可動壁３が設けられていて、サッシ１と額縁２及び可動壁３により開口部装置を構成している。
【００２３】
サッシ１は、方形状に枠組みされてなる枠体１０内に内障子１１及び外障子１２が引き違い状に納められてなる引き違いサッシである。内障子１１と外障子１２の召合わせ部分には、上下中央部にクレセントからなる錠装置４が設けられており、これによって内障子１１と外障子１２を室内側から施解錠することができる。枠体１０の室内側面より室内側には、それぞれ木製の上額縁材２０と下額縁材２１及び左右の縦額縁材２２、２２からなる額縁２が配設されていて、サッシ１の室内側には額縁２の内周面による開口が形成される。
【００２４】
可動壁３は、断熱性パネル壁３０が下端部のヒンジ部４０によって内倒し自在に支持されている。ヒンジ部４０は、断熱性パネル壁３０が閉じた状態において、下額縁材２１の室内側面より室内側位置に配置されている。また、断熱性パネル壁３０の左右両側には、建物側に固定されたガイド部材３３が設けられており、断熱性パネル壁３０が開く際、ガイド部材３３によってヒンジ部４０が上下方向に移動可能となるように構成されている。
【００２５】
断熱性パネル壁３０は、高い断熱性を有する樹脂材料によって形成されたパネル部３２と、パネル部３２の周縁部に四周に渡って設けられるフレーム部３１とからなっている。フレーム部３１は、断熱性パネル壁３０の強度を確保すると共に、ヒンジ部４０や後述する第１操作体６０及び第２操作体６１の取付部となる。
【００２６】
額縁２を構成する上額縁材２０と下額縁材２１及び縦額縁材２２の各室内側面には、長手方向に沿って気密材２３が設けられており、断熱性パネル壁３０のフレーム部３１室外面に対し、四周に渡って当接する。これにより、断熱性パネル壁３０を気密している。本実施形態の可動壁３は、断熱性パネル壁３０が内倒し状に開閉するから、断熱性パネル壁３０を閉じることによって、四周に渡って気密材２３に対し強く当接させることができ、高い気密性能を確保することができる。
【００２７】
断熱性パネル壁３０には、紐状の第１操作体６０と第２操作体６１が取付けられている。第１操作体６０は、一端部が断熱性パネル壁３０の上端部に固定され、ガイド部材３３の上端部には、断熱性パネル壁３０から伸びる第１操作体６０を摺動自在に保持する操作体保持部３３ａが設けられている。第２操作体６１は、一端部がヒンジ部４０に固定されると共に、操作体保持部３３ａにおいて摺動自在に保持されている。
【００２８】
図３には、断熱性パネル壁３０を内倒し状に開いた際の可動壁を含む建物開口部の縦断面図を示している。第１操作体６０は、断熱性パネル壁３０が閉じた状態では、操作側が断熱性パネル壁３０を閉じる方向に向かって引っ張った状態となっている。断熱性パネル壁３０が閉じた状態において、第１操作体６０を緩める方向に操作すると、断熱性パネル壁３０は自重によってヒンジ部４０を中心に回動し、室内側に向かって内倒し状に開かれる。断熱性パネル壁３０は、約９０度の角度まで開くことができる。このとき、ヒンジ部４０はガイド部材３３の下端部に配置されたままである。
【００２９】
図４には、室内側に開いた断熱性パネル壁３０を上方に持ち上げた際の可動壁を含む建物開口部の縦断面図を示している。断熱性パネル壁３０が室内側に開いた状態で、第２操作体６１を引っ張る方向に操作すると、ヒンジ部４０がガイド部材３３に沿って上方に移動する。これに伴い、開いた状態の断熱性パネル壁３０がそのまま上方に持ち上げられる。
【００３０】
図４のように、ヒンジ部４０を上方に移動させることにより、断熱性パネル壁３０は下辺が上方に持ち上げられる。このように、ヒンジ部４０がガイド部材３３に沿って上下方向に移動自在とされ、ヒンジ部４０が下額縁材２１より上方位置にも配置可能となることにより、断熱性パネル壁３０を室内側に傾倒させた際に、額縁２に囲まれた領域のうち、下部及びそれより室内側に領域に、断熱性パネル壁３０が干渉しないように配置することができる。これにより、断熱性パネル壁３０に邪魔されることなく、額縁２により形成される開口のうち下部からサッシ１の錠装置４を操作し、開閉を行うことが可能となる。
【００３１】
次に、本発明の第２の実施形態について説明する。図５には第２の実施形態の可動壁を含む建物開口部の縦断面図を、図６には第２の実施形態の可動壁を含む建物開口部の横断面図を、それぞれ示している。本実施形態でも、第１の実施形態と同様、建物開口部には、室外側に面する部分にサッシ１が設けられており、その室内側縁部には四周に渡って額縁２が設けられている。そして、額縁２の室内端部に可動壁３が設けられている。サッシ１及び額縁２の構成は、第１の実施形態と同様であり、サッシ１を構成する内障子１１と外障子１２の召合わせ部にクレセントからなる錠装置４が設けられている。
【００３２】
可動壁３は、断熱性パネル壁３０が下端部の下ヒンジ部５０と上端部の上ヒンジ部５１のいずれか一方で、内倒し自在となるように支持されている。下ヒンジ部５０は下額縁材２１の室内側面より室内側に配置され、上ヒンジ部５１は上額縁材２０の室内側面の室内側に配置されている。
【００３３】
また、本実施形態においても、額縁２の室内側面には、四周に渡って気密材２３が設けられており、断熱性パネル壁３０のフレーム部３１室外面に対し四周に渡って当接し、断熱性パネル壁３０を気密している。
【００３４】
断熱性パネル壁３０の左右両側には、建物側に固定された縦部材３４が設けられており、縦部材３４に沿ってスライド自在なスライド部品７１によって、下ヒンジ部５０と上ヒンジ部５１のいずれか一方が回動自在に支持され、断熱性パネル壁３０を支持されたヒンジ部を中心に回動自在としている。図５は、上ヒンジ部５１が支持されていて断熱性パネル壁３０の下辺側が開閉自在とされる状態を表している。
【００３５】
いずれかのヒンジ部を回動自在とするための機構につき説明する。上ヒンジ部５１か下ヒンジ部５０のいずれかをロックするための機構として、ロック切替機構７０が設けられる。図５に示すように、上額縁材２０から下額縁材２１に渡る長さを有する縦部材３４に対し、それより短い長さのスライド部品７１が上下方向にスライド自在に保持される。このスライド部品７１が、ロック切替機構７０を構成する主要な部品となる。
【００３６】
スライド部品７１には、上下２箇所に縦方向に長い縦スリット部７１ｃ、７１ｃが形成されている。縦部材３４には、縦スリット部７１ｃの位置に対応した２箇所に突起状の振止ピン３４ａ、３４ａが形成されていて、これらがそれぞれ縦スリット部７１ｃ、７１ｃに挿通されていて、スライド部品７１の上下方向へのスライドを円滑にしている。
【００３７】
スライド部品７１の上下中間部には、横方向に長い横スリット部７１ｄが形成されている。また、縦部材３４の室内側には、縦部材３４に対して上下方向にスライド操作可能な切替操作部７３が設けられ、この切替操作部７３と連動して動作する連動部品７２が設けられる。
【００３８】
連動部品７２は、回動連結部７２ｃで互いに回動自在に連結された第１部品７２ａと第２部品７２ｂからなっている。第１部品７２ａは、第２部品７２ｂと共に切替操作部７３に対して回動自在に連結されている。第２部品７２ｂは、第１部品７２ａと共に縦部材３４に対して回動自在に連結されている。回動連結部７２ｃには、横スリット部７１ｄに対して挿通される突起状の突出ピン７２ｄが形成されている。
【００３９】
スライド部品７１の上端部には、上ヒンジ部５１を保持可能な円弧状からなる上ロック部７１ｂが形成されている。図５では、上ロック部７１ｂが上ヒンジ部５１を保持しており、上ヒンジ部５１は上額縁材２０の室内側位置において、断熱性パネル壁３０を室内側に傾倒自在としている。
【００４０】
スライド部品７１の下端部には、下ヒンジ部５０を保持可能な円弧状からなる下ロック部７１ａが形成されている。図５は、スライド部品７１が上側にスライドされた状態であり、下ロック部７１ａは下ヒンジ部５０から離隔していて、これを保持していない。このため、断熱性パネル壁３０の下辺側を、上ヒンジ部５１を中心に室内側に開くことができる。
【００４１】
図７には、上ヒンジ部５１を中心に断熱性パネル壁３０を室内側に傾倒させた状態の可動壁を含む建物開口部の縦断面図を示している。この図に示すように、上ヒンジ部５１を中心に断熱性パネル壁３０を室内側に傾倒させると、額縁２に囲まれた領域のうち、下部及びそれより室内側の領域に、断熱性パネル壁３０が干渉しないように配置することができる。これにより、断熱性パネル壁３０を開くことによる採光、換気を行うことができると共に、サッシ１の錠装置４に手が届くようにすることができる。
【００４２】
一方で、切替操作部７３を操作することにより、下ヒンジ部５０を中心に断熱性パネル壁３０を室内側に傾倒させることもできる。図８には、下ヒンジ部５０を中心に断熱性パネル壁３０を室内側に傾倒させた状態の可動壁を含む建物開口部の縦断面図を示している。この図に示すように、切替操作部７３を図５の状態よりも下にスライド操作すると、連動部品７２を構成する第１部品７２ａ及び第２部品７２ｂが連動して回動し、回動連結部７２ｃの突出ピン７２ｄは、横スリット部７１ｄを室内側に移動しつつ、スライド部品７１を下方に押し下げる。これにより、スライド部品７１の上ロック部７１ｂによる上ヒンジ部５１のロック状態は解除され、下ロック部７１ａが下ヒンジ部５０に係合して、下ヒンジ部５０をロック状態とする。
【００４３】
スライド部品７１により下ヒンジ部５０がロックされ、上ヒンジ部５１がロックされていない状態では、断熱性パネル壁３０の上辺側を、下ヒンジ部５０を中心に室内側に開くことができる。下ヒンジ部５０を中心に断熱性パネル壁３０を開くと、額縁２に囲まれた領域のうち、上部及びそれより室内側の領域が開放状とされ、採光、換気を行うことができる。
【００４４】
このように、下額縁材２１の室内側に配置される下ヒンジ部５０と、上額縁材２０の室内側に配置される上ヒンジ部５１とを設け、両者を切り替えて断熱性パネル壁３０を開閉できるようにすることによっても、ヒンジ部を下額縁材２１の位置（下ヒンジ部５０）より上方位置（上ヒンジ部５１）にも配置可能とすることができる。したがって、第１の実施形態と同様、断熱性パネル壁３０を室内側に傾倒させた際に、額縁２に囲まれた領域のうち、下部及びそれより室内側に領域に、断熱性パネル壁３０が干渉しないように配置することができ、断熱性パネル壁３０に邪魔されることなく、額縁２により形成される開口のうち下部からサッシ１の錠装置４を操作すると共に、開閉を行うことが可能となる。
【００４５】
額縁２の室外側のサッシ１は、これまで説明した例では引き違いサッシであるが、他の種類の窓であってもよい。図９にはサッシ１を開き窓とした場合の建物開口部の縦断面図を、図１０にはサッシ１を開き窓とした場合の建物開口部の横断面図を、それぞれ示している。図９及び図１０には、第１の実施形態の可動壁３を設けてあるものが示されているが、第２の実施形態の可動壁３であってもよい。
【００４６】
図９及び図１０のサッシ１は、枠体１０内に障子１３が納められ、障子１３は上辺を回動軸として室外側に開放自在な突き出し窓として構成されている。障子１３は、方形状に框組みされてなる框体１４内にガラス板からなるパネル体１５を納めてなり、框体１４を構成する下框１４ａ中央部に、開閉ハンドル５が回動自在に設けられる。開閉ハンドル５を回動させることにより、障子１３の枠体１０に対する施解錠をなすことができると共に、開閉ハンドル５は障子１３の開閉の際の把手部として機能する。
【００４７】
このような開き窓においても、本発明のように断熱性パネル壁３０を室内側に傾倒させた際に、額縁２に囲まれた領域のうち、下部及びそれより室内側に領域に、断熱性パネル壁３０が干渉しないよう配置できることにより、断熱性パネル壁３０に邪魔されることなく、額縁２により形成される開口のうち下部からサッシ１の開閉ハンドル５を操作することができ、障子１３を開閉させることができる。なお、ここでは突き出し窓につき説明したが、縦辷り出し窓など他の種類の開き窓であってもよいことは言うまでもない。さらに、引き違いサッシ、開き窓以外の種類のサッシであってもよい。
【００４８】
以上、本発明の実施形態について説明したが、本発明の適用は本実施形態には限られず、その技術的思想の範囲内において様々に適用されうるものである。
【符号の説明】
【００４９】
１    サッシ
２    額縁
３    可動壁
１０    枠体
１１    内障子
１２    外障子
２０    上額縁材
２１    下額縁材
２２    縦額縁材
３０    断熱性パネル壁
３１    フレーム部
３２    パネル部
３３    ガイド部材
３４    縦部材
４０    ヒンジ部
５０    下ヒンジ部
５１    上ヒンジ部
７０    ロック切替機構
７１    スライド部品
７２    連動部品
７３    切替操作部
【図１】
2013209848.tif 000003
【図２】
2013209848.tif 000004
【図３】
2013209848.tif 000005
【図４】
2013209848.tif 000006
【図５】
2013209848.tif 000007
【図６】
2013209848.tif 000008
【図７】
2013209848.tif 000009
【図８】
2013209848.tif 000010
【図９】
2013209848.tif 000011
【図１０】
2013209848.tif 000012